(57)【要約】【課題】  剣道用袴の襞の裾広がりとなることを防ぐ。【解決手段】前身と腰板を備えた後身からなる剣道用袴において、前身は、第１、第２、第３の左前襞と、第１、第２の右前襞と、前身の帯結位置に第１の左前襞の端部と第１の右前襞の端部との間に前身に縫い付けられた中帯止部と、第１の左前襞の端部から前身縁取り部の左端部に斜めに前身に縫い付けられた左前帯縫付け部を備えて、その余の部分が自由となっている左前帯と、第１の右前襞の端部から前身縁取り部の右端部に斜めに前身に縫い付けられた右前帯縫付け部を備えて、その余の部分が自由となっている右前帯とを備え、後身は、後身上端部と腰板との間に左右の後帯を備えている。【選択図】図１
2009167562.tif 000002
【特許請求の範囲】
【請求項１】
前身と腰板を備えた後身からなる剣道用袴において、
前記前身は、
第１、第２、第３の左前襞と、
第１、第２の右前襞と、
前記前身の帯結位置に前記第１の左前襞の端部と前記第１の右前襞の端部との間に前記前身に縫い付けられた中帯止部と、
前記第１の左前襞の端部から前身縁取り部の左端部に斜めに前記前身に縫い付けられた左前帯縫付け部を備えて、その余の部分が自由となっている左前帯と、
前記第１の右前襞の端部から前身縁取り部の右端部に斜めに前記前身に縫い付けられた右前帯縫付け部を備えて、その余の部分が自由となっている右前帯と
を備え、
前記後身は、
後身上端部と前記腰板との間に左右の後帯を備えている
ことを特徴とする剣道用袴。
【請求項２】
前記前身の前記中帯止部と、前記左前帯縫付け部と、前記右前帯縫付け部と、前記前身縁取り部とに囲まれる領域に前身芯を備えていることを特徴とする請求項１に記載の剣道用袴。
【請求項３】
前記中帯止部は、前身に縫付けられた両端部と、前身に自由とされた通し部とからなることを特徴とする請求項２に記載の剣道用袴。
【請求項４】
前記第１、第２、第３の左前襞、第１、第２の右前襞は、前記各前襞の各々の折り返し部を深くすることにより、該前身の生地が３枚以上重なるよう形成されていることを特徴とする請求項１ないし３に記載の剣道用袴。
【発明の詳細な説明】
【技術分野】
【０００１】
本願発明は、剣道に使用される剣道用の袴に関する。
【背景技術】
【０００２】
剣道用の袴（以下、「袴」という。）は、いわゆる馬乗り袴といわれる袴の中の上方側に股ぐり（襠、中仕切りとも云う。）のあるもので、前身（前布、前身頃とも云う。）に左側に三本の左前襞、右側に二本の右前襞、後身（後布、後身頃とも云う。）に一本の後襞をつけ、剣道用に改良されたもので、剣道においては、袴の前身の裾を足の甲に接する様に着装されるものとされている。
袴の裾を足の甲に接する様に着装するのは、剣道の足の動きを相手に気取られない様にするためになされている。
【０００３】
さらに、このように着装すると、五本の前襞が腹部からほぼ垂直に立った姿は見映えがあり、動きの中でも、この襞によって、袴の裾が広がることを抑制し、広がったとしても、元に戻す作用があるため、激しい動きの中でも、すっきりとした立ち姿が見る者をして、無駄のない動きとして見えるものであるため、見映えがするものである。
【０００４】
袴は、前身の上部に取り付けられた長尺の二本の前帯と、後身の上部の芯が内装されている腰板の下部に取り付けられた短尺の二本の後帯とを備えている。
着装の際には、稽古着の上（角帯を締める場合もある。）から袴を履き、二本の前帯を身体の後ろに回し、さらに前に回して身体の正面（左右の腰部の場合もある。）で交叉させ、身体の後ろに回して二本の前帯の端部を背中側で結んで前身を取付けた後、二本の後帯を身体の前で、前帯を交叉させた位置で、結ぶことで、飾り結び部を形成して止める。つまり、二本の前帯が身体の正面で交叉され、その交叉位置にて、後帯を身体の正面で飾り結びされることとなる。結び方は、いわゆる結び切り（こま結び）で、残った部分を帯に挟んで止めるようにする。
【発明の開示】
【発明が解決しようとする課題】
【０００５】
袴は、着装した際に、襞が垂直に下りる様に着装することが見映えをよくするために重要であるが、現在剣道用の袴として使用されているものは、使用とともに、襞の下方部分が下に行くほど左右前方に裾広がりに開く裾広がりとなりやすく、この襞の位置を見映えよく維持しつつ、着装して、前帯、後帯をむすぶことは難しいものであった。
【０００６】
さらに、剣道の稽古は、激しい動きを伴うもので、着装が乱れやすく、袴の下方が裾広がりに広がり裾広がりとなってしまいやすかった。つまり、図７に示すように、着装された袴は、当然ながら、膨らむため、前襞１２〜１６、後ろ襞３２とも、裾広がりとなるため、襞同士の重なりが、裾近くになるほど、少なくなり、襞の下方への直線性が維持できなくなり、剣道の立ち姿の美しさが、維持しにくくなるものであった。
【０００７】
また稽古終了後、袴を畳む際、当初の襞の位置を維持して畳むことは、普段袴を日常生活で使用していない者にはかなり困難であり、購入当初の状態に襞を維持することができず、襞の位置が崩れたままたたむことになり、着装時に見映えの良い状態を維持しにくいものであった。
【０００８】
【特許文献１】特開２０００−１４４５０６号公報
【特許文献２】特開２００７−    ９３６０号公報
【０００９】
袴を見映えよく、着装するために種々の工夫がなされている。
特許文献１に記載のものは、図８に示される様に、袴の二本の前帯２０１ａ、２０１ｂの各中間部分に、角帯の上部で且つ袴の後ろ布と身体との間で二本の前帯２０１ａ、２０１ｂの中間部分を連結するための雌部材２１１及び雄部材２１２を取り外し可能な状態で取り付け、二本の前帯２０１ａ、２０１ｂの各端部部分に、角帯の下部で且つ袴の後ろ布と身体との間で二本の前帯２０１ａ、２０１ｂの端部部分を連結するための雌部材２１３及び雄部材２１４を取り外し可能な状態で取り付け、袴の二本の後帯２０２ａ、２０２ｂの各端部部分に、袴の前布と身体との間で二本の後帯２０２ａ、２０２ｂの端部部分を連結するための雌部材２２１及び雄部材２２２を取り外し可能な状態で取り付ける。
【００１０】
特許文献１に記載の袴は、３つの着脱手段を連結することにより、従来の袴をそのまま用いて、その袴を着装し、第一乃至第三の着脱手段を取り外すことにより、通常の袴に戻るため、従来の袴本来の着装方法によっても着装することができるもので、袴の着崩れを防止するため、特殊な帯の結び方、特殊な形状の帯を用いたもので、袴本来の単純な構成を複雑にしてしまうもので、剣道の稽古用には不適切なものであり、襞の下方に裾広かがりになりやすいことを防ぐことはできないものである。
【００１１】
特許文献２に記載の袴は、図９に示される様に、剣道のような激しい稽古であっても、袴の着崩れを起こさないことを目的として、一定の厚み、強度をもった左右平坦部及び下平坦部を形成した略三角形状のプレート３０２、及び袴３０４の裏面３０４ｃであって、帯３０４ａの位置に平面ファースナなどの取り付け具３０５を有するプレート３０２を収納する収納袋３０３からなることを特徴とする袴の着崩れ防止具３０１プレートと前記プレートを収納する左右平坦部及び下平坦部を形成した略三角形状の収納袋とからなる袴の着崩れ防止具袴の着崩れ防止具及びその防止具を用いた袴であって、帯３０４ａをきつく締めたとき同じような見映えが良く、しかも着装することにより姿勢がよくなり、激しい稽古、試合の後でも着崩れすることがなく、丹田（下腹部）を袴 の着崩れ防止具３０１で押さえるため力が入りやすくなるというものである。
【００１２】
特許文献２に記載のものにおいても、前帯、後帯の結び部を崩れにくくすること、襞の下方向の裾広がり、つまり裾広がりを押さえることはできず、袴の使用による着崩れも防ぐことはできないものである。
【００１３】
日本古来の伝統文化といわれる剣道においては、着装について厳しく指導されている。立ち姿が美しく、前後左右の体の移動においても着装が乱れることなく、踏み込みやすく、丹田に力を入れやすくするため、多くの剣道家は、下腹部に袴の前帯、後帯の２本にてしっかりと、締め上げる様に着装している。
【００１４】
しかしながら、稽古後に防具を外すと、袴の前後の長短の帯の結び位置が上方に移動するため、袴の乱れが目に付きやすいものであり、剣道家の心を悩ましているものであった。
【００１５】
本発明は、前帯を折り返してきれいに交叉させたり、後帯をきれいに飾り結びするためには、相当な修練が必要とされ、剣道の高段者であっても、適切な着装ができないばかりでなく、畳方においても困難なものあるという課題を解決するために、装着が容易で、着崩れが生じにくく、襞が開きにくく、着崩れのしにくい結びを可能とする袴を提供することを目的とするものである。
【課題を解決するための手段】
【００１６】
本発明は、前身と腰板を備えた後身からなる剣道用袴において、前記前身は、第１、第２、第３の左前襞と、第１、第２の右前襞と、前記前身の帯結位置に前記第１の左前襞の端部と前記第１の右前襞の端部との間に前記前身に縫い付けられた中帯止部と、前記第１の左前襞の端部から前身縁取り部の左端部に斜めに前記前身に縫い付けられた左前帯縫付け部を備えて、その余の部分が自由となっている左前帯と、前記第１の右前襞の端部から前身縁取り部の右端部に斜めに前記前身に縫い付けられた右前帯縫付け部を備えて、その余の部分が自由となっている右前帯とを備え、前記後身は、後身上端部と前記腰板との間に左右の後帯を備えている。
【００１７】
さらに、前記前身の前記中帯止部と、前記左前帯縫付け部と、前記右前帯縫付け部と、前記前身縁取り部とに囲まれる領域に前身芯を備えている。
さらに、前記中帯止部は、前身に縫付けられた両端部と、前身に自由とされた通し部とが形成されている。
前記第１、第２、第３の左前襞と、第１、第２の右前襞は、前身の生地が３枚以上重なる様に深く形成されていることを特徴とする請求項１ないし３に記載の剣道用袴。
さらに、前記第１、第２、第３の左前襞、第１、第２の右前襞は、前記各前襞の各々の折り返し部を深くすることにより、該前身の生地が３枚以上重なるよう形成されている。
【発明の効果】
【００１８】
本発明は、各前襞は、中帯止部により、帯結位置にて固定されているため、従来の袴のように前帯を結んだ結部のずれ、着装の乱れによって、前襞が前身の上端部においてややずり上がって、歪むことがなくなり、激しい稽古がなされても、ずれることがなくなり、かつ、前襞の裾広がりを防ぐことができる。
さらに、前身芯により、各前襞は、前身との位置関係を乱すことなく、固定され、着崩れを起こすことなくしっかりと固定される。
さらに、各前襞の折り返し部が幅広く形成されていることによって、前襞は、幅のある生地により常に下方に向かう様に維持され、袴の裾の裾広がりを防ぐことができる。
【発明を実施するための最良の形態】
【００１９】
本発明の最良の実施の形態を、図１〜図６に基づいて、以下に説明するが、袴は、使用者ごとに着装の癖があり、その使用者の体型、着装の癖を考慮して、袴を仕立てるものであるため、図面に示す各寸法は、標準的な寸法に基づいて記載されている。
本発明の袴１０は、図１、図２に示すような外観を呈している。袴１０の前身１１は、左前襞１２，１３、１４、右前襞１５，１６、左右の脇開き１８を備え、前帯は、右前帯２２，中帯止部２４，左前帯２３、からなり、下方に向かって幅が広くなる様に形成されている。
【００２０】
左右の前帯２２，２３は、それぞれ左右側の襞（第１の左襞１２、第１の右襞１５）の端部から前身１１の上端の縁取り部２１の左右の端部にかけて、斜めに前身１１に縫付けられている左右の縫付け部２８、２９と、その余の従来の袴の前帯と同様の自由となっている部分とからなる。
中帯止部２４は、従来の袴の帯を結ぶ位置１７（以下、「帯結位置」という。）にてその両端部が前身１１に縫いつけられている。中帯止部２４は、その両側部を第１の左襞１２，第１の右襞１５の側部と接する位置に、縫い代を１cm（３分））ほど取って、前身１１に縫い付けられ、その中間部分は、自由とされた通し部２５が形成されている。袴を着装する際、前帯２２、２３が通し部２５上で交叉して、後帯が通されて、結ばれることとなる。
袴の帯結位置１７は、個人差があるため、縁取り部２１からの寸法は、使用者ごとの相違するが、袴の調製の際、使用者ごとの結位置の寸法をとり、縫い付けることとなる。
【００２１】
図２は、袴１０の後身３１を示すもので、従来の袴と同様に、後身上端部３４には、後帯３５，３６が、その上方には腰板部３３が、その下方には、後ろ襞３２，左右の見返し部（笹襞、前身１１の左右の見返し部は図示なし。）３７，３７が形成されている。
【００２２】
袴１０の着装は、まず前帯２２、２３を背中に回してから中帯止部２４上で交叉させて、更に背中側に回して、結ぶ。次に、後身上端部３４を前帯の結びの上にし、後帯３５、３６の一方を通し部２５に通して、帯結位置１７である中帯止部２４上でこま結びをし、後帯３５、３６の残った帯を帯の間に挟む。
【００２３】
上記のように、前身１１には前帯縫付け部２８、２９を備えた前帯２２，２３と、中帯止部２４が形成されているため、帯結位置１７は激しい稽古がなされても、ずれることがなくなり、かつ、前襞１２〜１６は、中帯止部２４により、帯結位置１７にて固定されているため、従来の袴のように前帯を結んだ結部のずれ、着装の乱れ、によって、前襞が前身の縁取り部においてややずり上がって、歪むことがなくなり、前襞の裾広がりを防ぐことができる。
【００２４】
袴の前身１１の上方部分は、中帯止部２４、前帯縫付け部２８、２９が帯結位置１７に縫い付けられているが、その縫いつけ部分を補強し、かつ袴の裾の裾広がりに乱れることをより確実に防ぐために、図３に示されるように、前身芯２６が、前身１１の内側に縫い込まれている。
前身芯２６は、上部が逆台形、下部が長方形をなしている。その下部２６ａは、中帯止部２４の横幅、高さが左右の前帯２２，２３の前身１１への縫付け部２８、２９の斜めの端部の高さと中帯止部２４の高さの差とする長方形の形状をなし、その上部２６ｂは、長方形部分の幅を下辺とし、前身の縁取り部２１の幅を上辺、縁取り部２１と中帯止部２４との距離を高さとする台形部分とからなる形状とされている。
【００２５】
前身芯２６は、左右の第１の襞１２、１５の幅より若干広い幅と、中帯止部２４と前身の縁取り部との距離より長い奥行きの寸法を持った折り返し当て布２７によって、前身１１に縫い付る。
まず、当て布２７を前身の縁取り部２１に表側から縫い付ける。縫い付けられた当て布２７を前身１１の内側に折り返し、前身芯２６を中帯止部２４、及び前帯２２、２３に沿わせて位置決めし、その上から当て布２７を前身の内側に縫い付ける。
前身芯２６の素材は、柔軟性があって、腰があるものであれば、プラスチック、木、金属等いずれでも良いが、軟質のプラスチックが好ましい。
【００２６】
このように、前身芯２６を前身１１に縫い付けることにより、左右の前襞１２〜１６は、前身１１との位置関係を乱すことなく、固定されるとともに、後帯３５、３６を中帯止部２４において結んでも、左右の前帯２２、２３の前身１１への縫付け部２８、２９と、前身芯２６との作用により、稽古中であっても前襞１２〜１６着崩れを起こすことなくしっかりと固定される。
【００２７】
さらに、本発明の前襞１２〜１６は、各々の襞の端部と折り返し位置ａ、ｂ、ｃ、ｄ、ｅまでの幅（折り込み代）、つまり各襞の折り返し部が広く、深く形成されている。
このように折り返し部を幅広く形成することで、各襞の内側の前身の生地が３枚、又は４枚重なるようにされている。
さらに、後身３１の後襞３２を同様に、後襞３２の折り返しが部幅広く、深く形成されて、後襞３２の内側の後身の生地が４枚重なるようにされている。
【００２８】
このように折り返し部が幅広く形成されていることによって、各前襞１２〜１６は、幅のある生地により、常に下方に向かう様に維持され、袴の裾の裾広がりを防ぐことができる。
後身３１の後襞３２も、同様に常に下方に向かう様に維持され、袴の裾の裾広がりを防ぐことができる。
【図面の簡単な説明】
【００２９】
【図１】本発明の袴の前身の平面図を示す。
【図２】本発明の袴の後身の平面図を示す。
【図３】本発明の前身の内側の平面図を示す。
【図４】本発明の前身芯の縫い込みの状態を示す平面図である。
【図５】本発明の袴を着装する際の前帯の結び方を示す斜視図である。
【図６】本発明の袴を着装した状態の袴を下方からの図１のＡ−Ａ線の断面図である。
【図７】従来の袴を着装した状態の断面図である。
【図８】従来例としての特許文献１の袴の平面図である。
【図９】従来例としての特許文献２の袴の平面図である。
【符号の説明】
【００３０】
１１        袴の前身
１２〜１４  前身の第１〜第３の左襞
１５，１６  前身の第１、第２の右襞
１７        帯結位置
２１        前身縁取り部
２２，２３、２４  左右の前帯
２４        中帯止部
２５        通し部
２６        前身芯
２７        当て布
２８、２９  前帯縫付け部
３１        後身
３２        後襞
３３        腰板部
３４        後身上端部
３５，３６  左右後帯
３７        左右の後笹襞
【図１】
2009167562.tif 000003
【図２】
2009167562.tif 000004
【図３】
2009167562.tif 000005
【図４】
2009167562.tif 000006
【図５】
2009167562.tif 000007
【図６】
2009167562.tif 000008
【図７】
2009167562.tif 000009
【図８】
2009167562.tif 000010
【図９】
2009167562.tif 000011